(57)【要約】【課題】組付け作業性が良く、且つ回路基板とフレキシブル基板との導通信頼を確保する。【解決手段】第１、第２ハウジング６、７間に配置された回路基板９に対しフレキシブル基板１３を電気的に接続して固定するフレキシブル基板の接続構造において、回路基板９の接続部９ａにフレキシブル基板１３の接続部１３ａを接触させた状態で、フレキシブル基板１３側に緩衝部材１４を配置し、この緩衝部材１７側に押え板１８を配置して第２ハウジング７の係止フック２１に係止させた。従って、押え板１８が緩衝部材１７をフレキシブル基板１３側に押し付けるので、回路基板９とフレキシブル基板１３との各接続部９ａ、１３ａを圧接させることができ、これにより回路基板９とフレキシブル基板１３との導通信頼性を確保できる。この場合には、ビスを用いていないため、組付け作業性が良く、部品点数も少なく、製作が容易で、低コスト化をも図ることができる。【選択図】        図４
2004214245.tif 000002
【特許請求の範囲】
【請求項１】
機器本体内に収納されるハウジングに設けられた回路基板に対しフレキシブル基板を電気的に接続して固定するフレキシブル基板の接続構造において、
前記回路基板の接続部に前記フレキシブル基板の接続部を接触させた状態で前記フレキシブル基板側に配置された緩衝部材と、
前記ハウジングに設けられた係止部に係脱可能に係止されて前記緩衝部材を前記フレキシブル基板に向けて押し付ける押え部材と
を備えたことを特徴とするフレキシブル基板の接続構造。
【請求項２】
前記フレキシブル基板側における前記機器本体と前記ハウジングとの間に配置され、且つ前記押え部材を前記フレキシブル基板側に向けて押し付ける押圧部が設けられた固定部材を備えていることを特徴とする請求項１に記載のフレキシブル基板の接続構造。
【請求項３】
機器本体内のハウジングに設けられた回路基板に対しフレキシブル基板を電気的に接続して固定するフレキシブル基板の接続構造において、
前記フレキシブル基板側における前記機器本体と前記ハウジングとの間に配置され、且つ前記回路基板の接続部に前記フレキシブル基板の接続部を接触させた状態で前記フレキシブル基板を前記回路基板側に向けて押し付ける押圧部が設けられた固定部材を備えたことを特徴とするフレキシブル基板の接続構造。
【請求項４】
前記フレキシブル基板に接触する前記押圧部の先端面に複数の突起部を設けたことを特徴とする請求項３に記載のフレキシブル基板の接続構造。
【請求項５】
前記固定部材は弾性材料で形成されていることを特徴とする請求項２〜４のいずれかに記載のフレキシブル基板の接続構造。
【発明の詳細な説明】
【０００１】
【発明の属する技術分野】
この発明は、電子腕時計や携帯電話機、携帯情報端末機などの電子機器に用いられるフレキシブル基板の接続構造に関する。
【０００２】
【従来の技術】
従来、電子腕時計においては、標準時刻の電波を受信して時刻を修正する電波時計として、腕時計ケース内に時計モジュールおよびアンテナを収納し、このアンテナで標準時刻の電波を受信し、この受信した標準時刻情報に基づいて時計モジュールの時刻を自動的に修正するようにしたものがある（例えば、特許文献１参照。）。
【０００３】
【特許文献１】
特開２００２−９８７８０（Ｐ２００２−９８７８０Ａ）
【０００４】
このような電子腕時計では、時計モジュールの回路基板とアンテナとを電気的に接続する必要があり、その接続部材として、一般に、フレキシブル基板を用いている。このフレキシブル基板を用いた接続構造では、組み立て作業性を考慮して、フレキシブル基板の一端部にアンテナを半田などで固定して電気的に接続することにより、フレキシブル基板とアンテナとを一体化し、この一体化されたフレキシブル基板の他端部を時計モジュールの回路基板に取外し可能に取り付けて電気的に接続する必要がある。
【０００５】
このような回路基板に対するフレキシブル基板の接続構造としては、例えば、時計モジュールのハウジングに配置された回路基板の接続部にフレキシブル基板の接続部を接触させて配置し、このフレキシブル基板上に押え板を配置し、この状態でビスを押え板側からフレキシブル基板および回路基板を通してハウジングに螺着することにより、押え板とハウジングとの間にフレキシブル基板と回路基板とを挟み付けて固定し、これにより回路基板の接続部とフレキシブル基板の接続部とを電気的に接続するように構成したのものがある。
【０００６】
【発明が解決しようとする課題】
しかしながら、このようなフレキシブル基板の接続構造では、ビスを用いた締結であるから、回路基板に対してフレキシブル基板を取り外すことはできるが、ビス止め作業が面倒で、作業性が悪いという問題がある。特に、ビスを用いているため、押え板、フレキシブル基板、および回路基板にそれぞれビスの挿入孔を設けなければならず、このため回路基板の接続部およびフレキシブル基板３の接続部の各配線が制約を受けるばかりか、取付強度を確保するためにビスが螺入するねじ孔を有する金属製の支柱をハウジングに埋め込む必要があり、このため部品点数が多く、構造が複雑で、その製作が面倒であるばかりか、製作コストが高くなるなどの問題がある。
【０００７】
この発明の課題は、組付け作業性が良く、且つ回路基板とフレキシブル基板との導通信頼を確保することである。
【０００８】
【課題を解決するための手段】
この発明は、上記課題を解決するために、次のような構成要素を備えている。
なお、各構成要素には、後述する各実施形態の項で説明される各要素に付されている図面の参照番号などを括弧と共に付す。
請求項１に記載の発明は、図１〜図４に示すように、機器本体（腕時計ケース１）内に収納されるハウジング（第１、第２ハウジング６、７）に配置された回路基板（９）に対しフレキシブル基板（１３）を電気的に接続して固定するフレキシブル基板の接続構造において、前記回路基板の接続部（９ａ）に前記フレキシブル基板の接続部（１３ａ）を接触させた状態で前記フレキシブル基板側に配置された緩衝部材（１７）と、前記ハウジングに設けられた係止部に係脱可能に係止されて前記緩衝部材を前記フレキシブル基板に向けて押し付ける押え部材（押え板１８）とを備えたことを特徴とするフレキシブル基板の接続構造である。
【０００９】
この発明によれば、回路基板の接続部にフレキシブル基板の接続部を接触させた状態で、フレキシブル基板側に緩衝部材を配置し、この緩衝部材側に押え部材を配置してハウジングに設けられた係止部に係止させることにより、押え部材が緩衝部材をフレキシブル基板側に押し付けるので、緩衝部材の緩衝性によってフレキシブル基板の接続部を回路基板の接続部にほぼ均一に且つ良好に圧接させることができ、これにより回路基板とフレキシブル基板との導通信頼性を確保することができる。特に、フレキシブル基板側に緩衝部材を配置して押え部材をハウジングの係止部に係止させるだけで良いので、組付け作業性が良いばかりか、ビスなどの締結部材を用いていないため、回路基板の接続部やフレキシブル基板の接続部の各配線が制約を受けず、しかもハウジングに金属製の支柱を埋め込む必要もないので、部品点数が少なく、構造も簡単で、製作が容易になり、低コスト化をも図ることができる。
【００１０】
請求項２に記載の発明は、図１〜図４に示すように、前記フレキシブル基板（１３）側における前記機器本体（腕時計ケース１の裏蓋５）と前記ハウジング（第２ハウジング７）との間に配置され、且つ前記押え部材（押え板１８）を前記フレキシブル基板側に向けて押し付ける押圧部（押圧凸部２３）が設けられた固定部材（２２）を備えていることを特徴とする請求項１に記載のフレキシブル基板の接続構造である。
この発明によれば、回路基板とフレキシブル基板とを接続して機器本体に組み込んだ後に、フレキシブル基板側における機器本体とハウジングとの間に配置された固定部材の押圧部によって、押え部材がフレキシブル基板側に向けて押し付けられるので、より一層、フレキシブル基板の接続部を回路基板の接続部に確実に圧接させることができ、これにより回路基板とフレキシブル基板との導通信頼性を更に高めることができる。
【００１１】
請求項３に記載の発明は、図１、図２および図５に示すように、機器本体（腕時計ケース１）内のハウジング（第１、第２ハウジング６、７）に設けられた回路基板（９）に対しフレキシブル基板（１３）を電気的に接続して固定するフレキシブル基板の接続構造において、前記フレキシブル基板側における前記機器本体（腕時計ケース１の裏蓋５）と前記ハウジング（第２ハウジング７）との間に配置され、且つ前記回路基板の接続部（９ａ）に前記フレキシブル基板の接続部（１３ａ）を接触させた状態で前記フレキシブル基板を前記回路基板側に向けて押し付ける押圧部（押圧凸部３１）が設けられた固定部材（３０）を備えたことを特徴とするフレキシブル基板の接続構造である。
【００１２】
この発明によれば、ハウジングに設けられた回路基板の接続部にフレキシブル基板の接続部を接触させた状態で機器本体内に組み込むと共に、フレキシブル基板側における機器本体とハウジングとの間に固定部材を配置することにより、この固定部材の押圧部がフレキシブル基板を回路基板側に向けて押し付けるので、フレキシブル基板の接続部を回路基板の接続部に圧接させることができ、これにより回路基板とフレキシブル基板との導通信頼性を確保することができる。この場合にも、請求項１に記載の発明と同様、ビスなどの締結部材を用いていないため、組付け作業性が良いばかりか、回路基板の接続部やフレキシブル基板の接続部の各配線が制約を受けず、しかもハウジングに金属製の支柱を埋め込む必要もないので、請求項１に記載の発明よりも、部品点数を削減することができ、より一層の低コスト化を図ることができる。
【００１３】
請求項４に記載の発明は、図５に示すように、前記フレキシブル基板（１３）に接触する前記押圧部（押圧凸部３１）の先端面に複数の突起部（３２）を設けたことを特徴とする請求項３に記載のフレキシブル基板の接続構造である。
この発明によれば、固定部材の押圧部の先端面がフレキシブル基板に面接触せずに、押圧部の先端面に設けられた複数の突起部がフレキシブル基板の複数個所を押圧するので、回路基板の接続部とフレキシブル基板の接続部とを確実に接触させることができ、これにより回路基板とフレキシブル基板との導通信頼性を十分に確保することができる。
【００１４】
請求項５に記載の発明は、図４および図５に示すように、前記固定部材（２２、３０）が弾性材料で形成されていることを特徴とする請求項２〜４のいずれかに記載のフレキシブル基板の接続構造である。
この発明によれば、固定部材が弾性材料で形成されていることにより、押圧部がフレキシブル基板を回路基板に向けて押圧するときに、その押圧部がフレキシブル基板を弾力的に押圧するので、フレキシブル基板の接続部を回路基板の接続部にほぼ均一に圧接させることができ、これによっても回路基板とフレキシブル基板との導通信頼性を向上させることができる。
【００１５】
【発明の実施の形態】
［第１実施形態］
以下、図１〜図４を参照して、この発明を電子腕時計に適用した第１実施形態について説明する。
図１はこの発明の電子腕時計を示した正面図、図２はその電子腕時計に組み込まれる時計モジュールおよびアンテナを示した裏面図、図３はその要部を示した拡大図、図４は図３のＡ−Ａ矢視における拡大断面図である。この電子腕時計は、図１に示すように、腕時計ケース１を備えている。この腕時計ケース１の正面には、時計ガラス２が装着されており、この腕時計ケース１の内部には、図２に示す時計モジュール３およびアンテナ４が組み込まれている。また、この腕時計ケース１の裏面には、図４に示す腕時計ケース１の一部を構成する裏蓋５が取り付けられている。
【００１６】
時計モジュール３は、アナログ機能とデジタル機能とのうち、少なくとも一方、例えばこの実施形態ではデジタル機能を備えている。すなわち、この時計モジュール３は、図２および図４に示すように、上下一対の第１、第２ハウジング６、７を備えている。この第１ハウジング６の前面側（図２では紙面の裏面側）には、液晶表示素子などの表示素子（図示せず）が設けられており、第２ハウジング７の所定個所には、電池８が収納されている。また、第１、第２ハウジング６、７間には、図４に示すように、回路基板９が配置されており、第２ハウジング７の裏面側（図２では紙面の表面側）には、地板１０が配置されている。この地板１０は、その周縁部にフック部１１が設けられ、これらフック部１１が第１ハウジング６の側面に設けられた係止突起１２に係止されることにより、第１、第２ハウジング６、７との間に回路基板９を挟んで一体化するように構成されている。
【００１７】
この時計モジュール３は、回路基板９に表示素子および電池８が電気的に接続され、この状態で時刻などの情報を表示素子で電気光学的に表示するように構成されている。この場合、回路基板９には、時計機能に必要な電子回路を構成する各種の電子部品（図示せず）が搭載されていると共に、アンテナ４がフレキシブル基板１３によって電気的に接続されている。
このフレキシブル基板１３は、図２に示すように、絶縁性を有するフィルム１４に複数の配線１５を設けた構造で、その一端部がアンテナ４の一端部に配置され、この状態でアンテナ４のコイルの巻線の各端部がそれぞれ各配線１５に半田（図示せず）で固定されて電気的に接続され、他端部が時計モジュール３内に延びて回路基板９に電気的に接続されるように構成されている。
【００１８】
このフレキシブル基板１３の回路基板９に対する接続構造は、図３および図４に示すように構成されている。すなわち、第２ハウジング７の縁部には、回路基板９の接続部９ａを露出させるための切欠部１６が設けられている。この切欠部１６内に位置する回路基板９の接続部９ａには、切欠部１６内に挿入されたフレキシブル基板１３の他端部の接続部１３ａが接触して配置されている。この場合、フレキシブル基板１３の接続部１３ａには、図３に示すように、各配線１５がそれぞれ接続されており、これによりフレキシブル基板１３の接続部１３ａは、図４に示すように、各配線１５ごとに回路基板９の接続部９ａにそれぞれ接触して接続されるように構成されている。
【００１９】
また、第２ハウジング７の切欠部１６内におけるフレキシブル基板１３上には、図４に示すように、ゴムなどの緩衝部材１７が配置されており、この緩衝部材１７上には、押え板１８が配置されている。この押え板１８は、図３に示すように、第２ハウジング７の切欠部１６よりも十分に大きいサイズに形成されており、その所定個所には、第２ハウジング７に設けられた位置決めボス１９が挿入する位置決め孔２０が設けられている。また、この押え板１８は、図４に示すように、その外周部が第２ハウジング７に設けられた係止フック２１に係脱可能に係止されることにより、緩衝部材１７をフレキシブル基板１３側に向けて押し付けた状態で取り付けられている。この場合、緩衝部材１７は、図４に示すように、その厚みが第２ハウジング７とほぼ同じ厚み、つまりフレキシブル基板１３の上面からハウジング７の上面までの高さよりも厚く形成されている。
【００２０】
また、時計モジュール３を収納する腕時計ケース１には、図４に示す裏蓋５が取り付けられており、この裏蓋５と時計モジュール３との間には、腕時計ケース１内に時計モジュール３を固定するための固定部材２２が配置されている。この固定部材２２は、ゴムなどの弾性材料からなり、その所定個所つまり第２ハウジング７の切欠部１６に対応する個所には、押え板１８を緩衝部材１７に向けて押し付ける押圧凸部２３が設けられている。なお、この固定部材２２の押圧凸部２３に対応する上面、つまり押圧凸部２３に対応する固定部材２２の裏蓋５側の面には、裏蓋５の内面に当接する当接凸部２４が設けられている。
【００２１】
次に、このようなフレキシブル基板１３を回路基板９に接続する場合について説明する。この場合には、予め、第１、第２ハウジング６、７間に回路基板９を配置し、この回路基板９の接続部９ａを第２ハウジング７の切欠部１６に対応させて露出させると共に、フレキシブル基板１３の一端部にアンテナ４を電気的に接続して取り付ける。そして、時計モジュール３およびアンテナ４を腕時計ケース１内に収納した後、図３および図４に示すように、フレキシブル基板１３の他端部を第２ハウジング７の切欠部１６内に挿入し、このフレキシブル基板１３の接続部１３ａを回路基板９の接続部９ａに接触させて配置する。
【００２２】
この状態で、第２ハウジング７の切欠部１６内に配置されたフレキシブル基板１３上に緩衝部材１７を配置し、この緩衝部材１７上に押え板１８を配置する。
このときには、図４に示すように、押え板１８の位置決め孔２０に第２ハウジング７の位置決めボス１９を挿入させて位置決めると共に、押え板１８を緩衝部材１７に押し付けて、押え板１８の縁部を第２ハウジング７の係止フック２１に係止させる。これにより、押え板１８が第２ハウジング７に取り付けられると共に、この押え板１８によって緩衝部材１７がフレキシブル基板１３に押し付けられてフレキシブル基板１３が回路基板９に押し付けられる。
【００２３】
この後、腕時計ケース１の裏蓋５の内側に固定部材２２を配置し、この固定部材２２の押圧凸部２３を押え板１８に対応させ、この状態で裏蓋５を腕時計ケース１に取り付ける。これにより、時計モジュール３が固定部材２２によって腕時計ケース１内に固定されると共に、固定部材２２の押圧凸部２３が押え板１８を押圧する。このため、押え板１８によって緩衝部材１７がフレキシブル基板１３に向けて更に押圧されるので、フレキシブル基板１３が回路基板９に更に押し付けられ、これによりフレキシブル基板１３の接続部１３ａが回路基板９の接続部９ａに確実に圧接される。
【００２４】
このように、このフレキシブル基板１３の接続構造によれば、回路基板９の接続部９ａにフレキシブル基板１３の接続部１３ａを接触させた状態で、フレキシブル基板１３上に緩衝部材１７を配置し、この緩衝部材１７上に押え板１８を配置して第２ハウジング７の係止フック１６に係止させると、押え板１８が緩衝部材１７をフレキシブル基板１３側に押し付けるので、この緩衝部材１７の緩衝性つまり緩衝部材１７の弾性力によってフレキシブル基板１３の接続部１３ａを回路基板９の接続部９ａにほぼ均一に且つ良好に圧接させることができ、これにより回路基板９とフレキシブル基板１３との導通信頼性を確保することができる。
【００２５】
この場合には、フレキシブル基板１３上に緩衝部材１７を配置して押え板１８を第２ハウジング７の係止フック１６に係止させるだけで良いので、組付け作業性が良いばかりか、ビスなどの締結部材を用いていないため、回路基板９の接続部９ａやフレキシブル基板１３の接続部１３ａの各配線１５が制約を受けず、しかも第１ハウジング６に金属製の支柱を埋め込む必要もないので、部品点数が少なく、構造も簡単で、製作が容易にでき、低コスト化をも図ることができる。
【００２６】
特に、このフレキシブル基板１３の接続構造では、回路基板９とフレキシブル基板１３とを接続して腕時計ケース１内に組み込んだ後に、腕時計ケース１に取り付けられた裏蓋５と時計モジュール３との間に配置された固定部材２２の押圧凸部２３によって、押え板１８がフレキシブル基板１３側に向けて押し付けられるので、より一層、フレキシブル基板１３の接続部１３ａを回路基板９の接続部９ａに強く圧接させることができ、このため導通信頼性を更に高めることができる。
【００２７】
［第２実施形態］
次に、図５を参照して、この発明を電子腕時計に適用した第２実施形態について説明する。なお、図１〜図４に示された第１実施形態と同一部分には同一符号を付して説明する。
この電子腕時計は、回路基板９に対するフレキシブル基板１３の接続構造が第１実施形態と異なり、これ以外は第１実施形態とほぼ同じ構造になっている。すなわち、このフレキシブル基板１３の接続構造は、裏蓋５と時計モジュール３との間に配置された固定部材３０に押圧凸部３１を第２ハウジング７の切欠部１６に対応させて設け、この押圧凸部３１で第２ハウジング７の切欠部１６に挿入されたフレキシブル基板１３を回路基板９に押し付けるように構成されている。
【００２８】
この場合にも、固定部材３０は、第１実施形態と同様、ゴムなどの弾性材料で構成されている。また、この押圧凸部３１の先端面には、フレキシブル基板１３を押圧する半円弧状の複数の突起部３２が形成されている。また、この固定部材３０には、第２ハウジング７に設けられた位置決めボス１９が挿入する位置決め凹部３３が設けられている。さらに、この固定部材３０の押圧凸部３１に対応する上面、つまり押圧凸部３１に対応する固定部材３０の裏蓋５側の面にも、裏蓋５の内面に当接する当接凸部３４が設けられている。
【００２９】
このようなフレキシブル基板１３の接続構造によれば、回路基板９の接続部９ａにフレキシブル基板１３の接続部１３ａを接触させた状態で腕時計ケース１に組み込んだ後に、腕時計ケース１の裏面側に裏蓋５を取り付けるときに、この裏蓋５と時計モジュール３との間に固定部材３０を配置し、この状態で裏蓋５を腕時計ケース１に取り付けると、固定部材３０の押圧凸部３１がフレキシブル基板１３を回路基板９側に向けて押し付けるので、第１実施形態と同様、回路基板９の接続部９ａとフレキシブル基板１３の接続部１３ａとを圧接させることができ、これにより回路基板９とフレキシブル基板１３との導通信頼性を確保することができる。
【００３０】
このときには、固定部材３０の押圧凸部３１の先端面に複数の突起部３２が設けられているので、押圧凸部３１の先端面がフレキシブル基板１３に面接触せず、押圧凸部３１の先端面に設けられた複数の突起部３２がフレキシブル基板１３にそれぞれ接触してフレキシブル基板１３の複数個所を押圧するので、フレキシブル基板１３の接続部１３ａを回路基板９の接続部９ａに確実に接触させることができる。また、この場合にも、固定部材３０が弾性材料で形成されているので、押圧凸部３１の弾性力によってフレキシブル基板１３の接続部１３ａを回路基板９の接続部９ａに均一に圧接させることができ、これによっても導通信頼性を向上させることができるほか、特に第１実施形態の緩衝部材１７や押え板１８が不要であるから、更に部品点数を削減でき、より一層、組付け作業性を向上させることができる。
【００３１】
なお、上記第１、第２実施形態では、時計モジュール３の回路基板９とアンテナ４とをフレキシブル基板１３で電気的に接続する場合について述べたが、これに限らず、表示素子などの他の電子部品と回路基板との接続にも適用することができる。
また、上記第１、第２実施形態では、電子腕時計に適用した場合について述べたが、これに限らず、携帯電話機、電子手帳、電子辞書、、携帯端末機、ＤＰＡ（デジタル・パーソナル・アシスタント）、パーソナルコンピュータなどの電子機器に広く適用することができる。
【００３２】
【発明の効果】
以上説明したように、請求項１に記載の発明によれば、ハウジングに設けられた回路基板に対しフレキシブル基板を電気的に接続して固定するフレキシブル基板の接続構造において、回路基板の接続部にフレキシブル基板の接続部を接触させた状態でフレキシブル基板側に緩衝部材を配置し、この緩衝部材側に押え部材を配置してハウジングの係止部に係止させることにより、押え部材が緩衝部材をフレキシブル基板に押し付けるので、フレキシブル基板の接続部を回路基板の接続部に良好に圧接させることができ、これにより導通信頼性を確保することができる。
【００３３】
特に、フレキシブル基板側に緩衝部材を配置して押え部材をハウジングの係止部に係止させるだけで良いので、組付け作業性が良いばかりか、ビスなどの締結部材を用いていないため、回路基板の接続部やフレキシブル基板の接続部の各配線が制約を受けず、しかもハウジングに金属製の支柱を埋め込む必要もないので、部品点数が少なく、構造も簡単で、製作が容易にでき、低コスト化をも図ることができる。
【００３４】
この場合、フレキシブル基板側における機器本体とハウジングとの間に固定部材を配置し、この固定部材に押え部材をフレキシブル基板側に向けて押し付ける押圧部を設けたことにより、回路基板とフレキシブル基板とを接続して機器本体に組み込んだ後に、機器本体とハウジングとの間に配置された固定部材の押圧部によって、押え部材がフレキシブル基板側に向けて押し付けられるので、より一層、回路基板の接続部とフレキシブル基板の接続部とを確実に接触させることができ、これにより回路基板とフレキシブル基板との導通信頼性を更に高めることができる。
【００３５】
また、請求項３に記載の発明によれば、フレキシブル基板側における機器本体とハウジングとの間に固定部材を配置し、この固定部材に、フレキシブル基板の接続部を回路基板の接続部に接触させた状態でフレキシブル基板を回路基板側に向けて押し付ける押圧部を設けたことにより、機器本体とハウジングとの間に配置された固定部材の押圧部がフレキシブル基板を回路基板側に向けて押し付けるので、回路基板の接続部とフレキシブル基板の接続部とを圧接させることができ、これにより導通信頼性を確保することができる。この場合にも、ビスなどの締結部材を用いていないため、組付け作業性が良いばかりか、請求項１に記載の発明よりも、部品点数を更に削減でき、より一層の低コスト化を図ることができる。
【００３６】
この場合、フレキシブル基板に接触する固定部材の押圧凸部の先端面に複数の突起部を設けたことにより、固定部材の押圧部の先端面がフレキシブル基板に面接触せず、押圧部の先端面に設けられた複数の突起部がそれぞれフレキシブル基板に接触してフレキシブル基板の複数個所を押圧するので、フレキシブル基板の接続部を回路基板の接続部に確実に接触させることができ、これにより回路基板とフレキシブル基板との導通信頼性を十分に確保することができる。特に、固定部材が弾性材料で形成されていることにより、回路基板の接続部とフレキシブル基板の接続部とをほぼ均一に圧接させることができ、これによっても回路基板とフレキシブル基板との導通信頼性を向上させることができる。
【図面の簡単な説明】
【図１】この発明を電子腕時計に適用した第１実施形態の正面図。
【図２】図１の電子腕時計に組み込まれる時計モジュールとアンテナとを示した裏面図。
【図３】図２の要部を拡大した裏面図。
【図４】図３のＡ−Ａ矢視における拡大断面図。
【図５】この発明を電子腕時計に適用した第２実施形態において、回路基板に対するフレキシブル基板の接続構造を示した要部の拡大断面図。
【符号の説明】
１  腕時計ケース
３  時計モジュール
４  アンテナ
５  裏蓋
６  第１ハウジング
７  第２ハウジング
９  回路基板
９ａ  接続部
１３  フレキシブル基板
１３ａ  接続部
１４  フィルム
１５  配線
１６  切欠部
１７  緩衝部材
１８  押え板
２１  係止フック
２２、３０  固定部材
２３、３１  押圧凸部
３２  突起部
【図１】
2004214245.tif 000003
【図２】
2004214245.tif 000004
【図３】
2004214245.tif 000005
【図４】
2004214245.tif 000006
【図５】
2004214245.tif 000007